(57)【要約】【課題】災害によって無線端末の帰属する無線基地局が故障した場合であっても、当該無線端末の安否を通知することのできる無線通信端末を提供することにある。【解決手段】無線基地局３−１を介してサーバ１に接続可能な無線通信端末２−１は、サーバ１から安否応答要求コマンドを受信すると、ローカル無線通信機能を起動して近傍に位置する無線通信端末２へ探索要求を送信する。そして、ローカル無線通信機能を介して近傍に位置する無線通信端末２−３から探索応答を受信すると、サーバ１から受信した安否応答要求コマンドを送信し、サーバ１と無線通信端末２−３間のデータ中継を開始する。【選択図】    図２
2016046585.tif 000002
【特許請求の範囲】
【請求項１】
ネットワークに接続され安否確認に係る情報を収集または配信する機能を具備するサーバと、前記サーバとネットワークを介して無線通信する無線通信機能およびまたは近傍に存在している他無線通信端末とローカル無線通信するローカル無線通信機能を具備する複数の無線通信端末と、からなる安否確認システムであって、
前記サーバは、前記ネットワークを介して所定の安否確認要求元から前記無線通信端末を所持する者に係る安否確認を要求する安否確認要求コマンドを受信する安否確認要求受信手段と、予め登録されているまたは前記受信した安否確認要求コマンドに含まれている複数の宛先の無線通信端末の各々へ前記ネットワークを介して安否確認に係る応答を要求する安否応答要求コマンドを送信する安否応答要求送信手段と、前記送信した安否応答要求コマンドに対する応答コマンドを前記ネットワークを介して受信する安否応答受信手段と、前記受信した応答コマンドに係る安否確認結果情報を前記安否確認要求元または前記安否確認要求コマンドが指定する通知先へ前記ネットワークを介して送信する安否確認結果送信手段と、を有し、
前記無線通信端末は、前記無線通信機能により前記サーバから前記安否応答要求コマンドを受信する安否応答要求受信手段と、前記受信した前記安否応答要求コマンドに係る情報を自端末が備える情報提示部に提示し所定の操作が為された場合に無事である旨の応答コマンドを前記サーバへ前記ネットワークを介して送信する応答送信手段と、
前記受信した安否応答要求コマンドを自端末の近傍に存在している他無線通信端末へ前記ローカル無線通信機能により転送する安否応答要求ローカル転送手段と、前記転送した安否応答要求コマンドに対して無事である旨の応答コマンドを前記ローカル無線通信機能により前記他無線通信端末から受信する応答ローカル受信手段と、前記受信した応答コマンドを前記サーバへ前記ネットワークを介して転送する応答転送手段と、
前記安否応答要求コマンドを前記サーバから受信していない状態で前記安否応答要求コマンドを前記ローカル無線通信機能により自端末の近傍に存在している他無線通信端末から転送された安否応答要求コマンドを受信する安否応答要求ローカル受信手段と、前記受信した前記安否応答要求コマンドに係る情報を自端末が備える情報提示部に提示し所定の操作が為された場合に無事である旨の応答コマンドを前記ローカル無線通信機能により前記他無線通信端末へ送信する応答ローカル送信手段と、を有することを特徴とするローカル無線通信機能を併用する安否確認システム。
【発明の詳細な説明】
【技術分野】
【０００１】
本発明は、災害発生時の安否確認を効率的に行うための安否確認システムおよび無線通信端末に関する。
【背景技術】
【０００２】
災害発生などの緊急時に家族や知人の安否を確認する方法として、例えば災害用伝言ダイヤルや災害用伝言板サービスがある。この方法は、被災地への安否確認が増加し、輻輳すると、安否確認ができないという問題がある。
【０００３】
この問題を解決する技術として特許文献１には、管理サーバが、自サーバへのアクセスが増加すると、アクセスしてきた複数の無線端末の位置情報から管理サーバの代わりに無線端末の安否確認を代行処理する代表端末を選択し、選択された代表端末が当該代表端末の周辺に位置する無線端末の安否を管理サーバに通知する技術が記載されている。
【０００４】
しかしながら、特許文献１の安否確認システムは、前記管理サーバと無線端末間あるいは無線端末と代表端末間のデータ中継を行う無線基地局が、災害によって故障した場合は、無線端末の安否を通知することができないという問題がある。
【先行技術文献】
【特許文献】
【０００５】
【特許文献１】特開２０１３−２０７７６２号公報
【発明の概要】
【発明が解決しようとする課題】
【０００６】
本発明は、上記課題に鑑みてなされた物であり、その目的は、災害によって無線端末の帰属する無線基地局が故障した場合であっても、当該無線端末を利用するユーザの安否情報を管理サーバへ通知することのできる無線通信端末を提供することにある。
【課題を解決するための手段】
【０００７】
上記課題を解決するために、本発明は、ネットワークに接続され安否確認に係る情報を収集または配信する機能を具備するサーバと、前記サーバとネットワークを介して無線通信する無線通信機能およびまたは近傍に存在している他無線通信端末とローカル無線通信するローカル無線通信機能を具備する複数の無線通信端末と、からなる安否確認システムであって、前記サーバは、前記ネットワークを介して所定の安否確認要求元から前記無線通信端末を所持する者に係る安否確認を要求する安否確認要求コマンドを受信する安否確認要求受信手段と、予め登録されているまたは前記受信した安否確認要求コマンドに含まれている複数の宛先の無線通信端末の各々へ前記ネットワークを介して安否確認に係る応答を要求する安否応答要求コマンドを送信する安否応答要求送信手段と、前記送信した安否応答要求コマンドに対する応答コマンドを前記ネットワークを介して受信する安否応答受信手段と、前記受信した応答コマンドに係る安否確認結果情報を前記安否確認要求元または前記安否確認要求コマンドが指定する通知先へ前記ネットワークを介して送信する安否確認結果送信手段と、を有し、前記無線通信端末は、前記無線通信機能により前記サーバから前記安否応答要求コマンドを受信する安否応答要求受信手段と、前記受信した前記安否応答要求コマンドに係る情報を自端末が備える情報提示部に提示し所定の操作が為された場合に無事である旨の応答コマンドを前記サーバへ前記ネットワークを介して送信する応答送信手段と、前記受信した安否応答要求コマンドを自端末の近傍に存在している他無線通信端末へ前記ローカル無線通信機能により転送する安否応答要求ローカル転送手段と、前記転送した安否応答要求コマンドに対して無事である旨の応答コマンドを前記ローカル無線通信機能により前記他無線通信端末から受信する応答ローカル受信手段と、前記受信した応答コマンドを前記サーバへ前記ネットワークを介して転送する応答転送手段と、前記安否応答要求コマンドを前記サーバから受信していない状態で前記安否応答要求コマンドを前記ローカル無線通信機能により自端末の近傍に存在している他無線通信端末から転送された安否応答要求コマンドを受信する安否応答要求ローカル受信手段と、前記受信した前記安否応答要求コマンドに係る情報を自端末が備える情報提示部に提示し所定の操作が為された場合に無事である旨の応答コマンドを前記ローカル無線通信機能により前記他無線通信端末へ送信する応答ローカル送信手段と、を有することを特徴とする。
【発明の効果】
【０００８】
本発明によれば、無線端末が、管理サーバに接続可能な場合には、ローカル無線通信を用いて管理サーバと接続できない他無線端末のデータを中継することで、災害によって無線基地局が故障した場合でも、管理サーバは、ネットワークに接続できない無線端末を利用するユーザの安否情報を管理サーバに通知することができる。
【図面の簡単な説明】
【０００９】
【図１】図１は、本発明の一実施の形態に係る安否確認システムの概略構成図である。
【図２】図２は、本発明の一実施の形態に係る安否確認システムの動作例を説明するためのシーケンス図である。
【図３】図３は、サーバ１の概略構成図である。
【図４】図４は、サーバ１の動作を説明するためのフロー図である。
【図５】図５は、無線通信端末２の概略構成図である。
【図６】図６は、無線通信端末２の動作を説明するためのフロー図である。
【発明を実施するための形態】
【００１０】
以下に、本発明の一実施の形態について説明する。
【００１１】
図１は、本実施の形態に係る安否確認システムの概略構成図である。
【００１２】
図示するように、本実施の形態に係る安否確認システムは、安否確認を問合せるサーバ１と、安否確認の問合せに応答する無線通信端末２（無線通信端末２−１、無線通信端末２−２、無線通信端末２−３と呼称する場合もある。）とから構成される。
【００１３】
サーバ１は、ＷＡＮ（Ｗｉｄｅ  Ａｒｅａ  Ｎｅｔｗｏｒｋ）４に接続し、無線基地局３（無線基地局３−１、無線基地局３−２とも呼称する場合もある。）を介して、無線通信端末２と接続し、安否確認を行う。サーバ１は、所定の要求元から安否確認の集計を要求する安否確認要求コマンドを受信すると、自サーバに予め記憶されている所定の宛先に安否確認を要求する安否応答要求コマンドを送信する。そして、安否応答要求コマンドを送信した無線通信端末２から安否確認に対する応答を含む安否応答コマンドを受信し、所定期間経過すると（例えば、３０分）、受信した安否応答コマンドから無線通信端末を利用するユーザの安否情報を集計し、安否確認要求コマンドの送信元に安否確認結果として送信する。
【００１４】
無線通信端末２は、安否応答要求コマンドを受信すると、自端末の表示部に安否を確認する旨のメッセージを表示する。そして、表示したメッセージに対して無線通信端末２のユーザが、無事である旨の応答操作をすると、安否応答コマンドをサーバ１へ送信する。
【００１５】
一方、安否応答要求コマンドを受信すると、無線通信端末２は、ローカル無線通信機能を用いて、自端末周辺の無線通信端末２に探索要求を送信する。そして、無線通信端末２の周辺の通信端末から探索応答を受信すると、無線通信端末２は、サーバ１から受信した安否応答要求コマンドを、ローカル無線通信機能を介して探索要求を送信した無線通信端末２へ送信する。そして、探索要求を送信した無線通信端末２から安否応答コマンドを受信すると、サーバ１へ中継する。
【００１６】
図２は、本実施の形態に係る安否確認システムの動作例を説明するためのシーケンス図である。本シーケンスは、図１の安否確認システムにおいて、サーバ１が無線通信端末２−２より安否確認要求コマンドを受信した状態から開始する。また、安否確認システムは、無線基地局３−２が故障し、無線通信端末２−３はサーバ１と接続できない状態で無線基地局３−１に帰属している無線通信端末２−１の近傍に無線通信端末２−３が存在しているものとする。
【００１７】
サーバ１は、無線通信端末２−２から安否確認要求コマンドを受信すると（Ｓ１０１）、自サーバに予め記憶されている宛先（無線通信端末２−１、無線通信端末２−３）へ安否応答要求コマンドを送信する（Ｓ１０２）。
【００１８】
この時、無線通信端末２−３は、無線基地局３−２が故障しているため、サーバ１から安否応答要求コマンドを受信できない。
【００１９】
無線通信端末２−１は、サーバ１から安否応答要求コマンドを受信すると、自端末の表示部に安否確認に係る表示を行う（Ｓ１０３）。そして、無線通信端末２−１のユーザが無事である旨を示す応答操作を行うと、無線通信端末２−１は、これを検出してサーバ１へ無事である旨の安否応答コマンドを送信する（Ｓ１０４）。
【００２０】
サーバ１は、無線通信端末２−１から安否応答コマンドを受信するとこれを記憶し、所定期間経過するのを待つ。
【００２１】
また、無線通信端末２−１は、サーバ１から安否応答要求コマンドを受信すると、ローカル無線通信機能を介して探索要求を近傍の無線通信端末２に送信する（Ｓ１０５）。
【００２２】
探索要求を受信した無線通信端末２−３は、サーバ１から安否応答要求コマンドを受信していないことを確認し、ローカル無線通信機能を介して探索応答を無線通信端末２−１へ送信する（Ｓ１０６）。
【００２３】
探索応答を受信した無線通信端末２−１は、サーバ１から受信した安否応答要求コマンドを、ローカル無線通信機能を介して無線通信端末２−３に中継する（Ｓ１０７）。
【００２４】
無線通信端末２−３は、無線通信端末２−１から安否応答要求コマンドを受信すると、自端末の表示部に安否確認に係る表示を行う（Ｓ１０８）。そして、無線通信端末２−３のユーザが無事である旨を示す応答操作を行うと、無線通信端末２−３は、これを検出して無線通信端末２−１へ無事である旨の安否応答コマンドを送信する（Ｓ１０９）。
【００２５】
無線通信端末２−１は、無線通信端末２−３から安否応答コマンドを受信すると、これをサーバ１へ中継する（Ｓ１１０）。
【００２６】
サーバ１は、無線通信端末２−１から安否応答コマンドを受信するとこれを記憶し、所定期間経過するのを待つ。サーバ１は、所定期間が経過すると、記憶した安否応答コマンドから予め記憶されている宛先の安否を集計・確認し（Ｓ１１１）、安否確認結果を無線通信端末２−２へ送信する（Ｓ１１２）。
【００２７】
尚、無線通信端末２−３は、ステップ１０５において無線通信端末２−１から探索要求を受信すると、ローカル無線通信機能を介して探索要求を近傍の無線通信端末２に送信し、無線通信端末２−１と同様の動作を行うようにしてもよい。これにより、無線通信端末２間でネットワークが構築され、マルチホップ方式で各無線通信端末２を使用するユーザの安否に係る情報をサーバ１に通知することができる。
【００２８】
図３は、サーバ１の概略機能構成図である。
【００２９】
図示するように、サーバ１は、通信部１０１と、安否確認要求受信部１０２と、宛先記憶部１０３と、安否応答要求送信部１０４と、安否応答受信部１０５と、回答抽出部１０６と、回答記憶部１０７と、回答集計部１０８と、安否確認結果送信部１０９と、を有する。
【００３０】
通信部１０１は、ＷＡＮ４を介して無線基地局３および無線通信端末２との通信全般を処理する。
【００３１】
安否確認要求受信部１０２は、通信部１０１を監視し、通信部１０１が安否確認要求コマンドを受信した場合に、宛先記憶部１０３から安否応答要求コマンドを送信する宛先を取得し、安否応答要求送信部１０４に安否応答要求コマンドの送信を指示する。さらに、安否応答要求コマンドの送信を指示したことを回答集計部１０８に渡す。
【００３２】
宛先記憶部１０３は、予め登録された安否応答要求コマンドを送信する宛先を記憶する。
【００３３】
安否応答要求送信部１０４は、安否確認要求受信部１０２からの指示により安否応答要求コマンドを送信する。
【００３４】
安否応答受信部１０５は、通信部１０１を監視し、通信部１０１が安否応答コマンドを受信した場合に、当該安否応答コマンドを回答抽出部１０６に渡す。
【００３５】
回答抽出部１０６は、安否応答受信部１０５から通知された安否応答コマンドから回答結果を抽出し、回答記憶部１０７へ記憶する。
【００３６】
回答記憶部１０７は、回答抽出部１０６から渡された回答結果を該当する無線通信端末２のユーザに関連づけて記憶する。
【００３７】
回答集計部１０８は、安否確認要求部１０２が安否確認要求コマンドを受信すると、所定期間（例えば１０分）の計時を開始する。そして所定期間が経過すると、回答集計部１０８は、回答記憶部１０７に記憶された安否応答要求と当該安否応答要求に関連づけられた回答から当該無通信端末の安否を集計し、安否確認結果を安否確認結果送信部１０９へ通知する。安否確認要求受信部１０２から安否応答要求コマンドの送信を指示したことを渡されると所定期間のカウントを開始する。そして、回答集計部１０８は、所定期間経過すると、安否の集計を開始する。
【００３８】
安否確認結果送信部１０９は、回答集計部１０８の安否確認結果を当該安否確認要求コマンドの要求元へ送信する。
【００３９】
図４は、サーバ１の動作を説明するためのフロー図である。本フローは、サーバ１が、所定の安否確認要求元から安否確認要求コマンドを受信することにより開始される。
【００４０】
まず、サーバ１は、安否確認要求コマンドを受信するのを待つ（Ｓ４０１）。
【００４１】
安否確認要求コマンドを受信すると（Ｓ４０１、Ｙｅｓ）、サーバ１は、安否応答要求コマンドを送信する（Ｓ４０２）。そして、サーバ１は、安否応答コマンドを受信する（Ｓ４０３）または所定期間が経過する（Ｓ４０５）のを待つ。
【００４２】
サーバ１は安否応答コマンドを受信すると（Ｓ４０３、Ｙｅｓ）、受信した安否応答コマンドを記憶する（Ｓ４０４）。
【００４３】
所定期間が経過すると（Ｓ４０５、Ｙｅｓ）、サーバ１は、ステップ４０４で記憶した安否応答コマンドから安否確認結果を集計し（Ｓ４０６）、安否確認結果を送信する（Ｓ４０７）。
【００４４】
図５は、無線通信端末２の概略機能構成図である。
【００４５】
図示するように、無線通信端末２は、通信部２０１と、安否応答要求受信部２０２と、安否応答送信部２０３と、マンマシンインターフェース部２０４と、端末探索部２０５と、安否応答要求ローカル転送部２０６と、安否応答ローカル受信部２０７と、安否応答転送部２０８と、安否応答要求ローカル受信部２０９と、安否応答ローカル送信部２１０と、ローカル通信部２１１と、から構成される。
【００４６】
通信部２０１は、ＷＡＮ４を介してサーバ１との通信全般を制御する。
【００４７】
安否応答要求受信部２０２は、通信部２０１を介して無線基地局３から安否応答要求コマンドを受信する。前記安否応答要求コマンドが新規に受信したコマンドであった場合に、安否応答要求コマンドに係る情報をマンマシンインターフェース部２０４の表示部に表示する。さらに、前記受信した安否応答要求コマンドが再送されたコマンドであった場合に、端末探索部２０５に自端末近傍の他無線通信端末探索を指示し、前記端末探索部２０５より自端末近傍の他無線通信端末検出が通知されると前記受信した安否応答要求コマンドを安否応答要求ローカル送信部２０６へ転送する。
【００４８】
安否応答送信部２０３は、マンマシンインターフェース部２０４で所定の操作が行われたことが通知されると当該安否応答要求コマンドに対する安否応答コマンドを通信部２０１を介して送信する。
【００４９】
マンマシンインターフェース部２０４は、表示部と操作受付部を有し、安否応答要求受信部２０２または安否応答要求ローカル受信部２０９からの安否応答要求コマンドに係る情報を表示部に表示し、さらに、操作受付部で所定の操作がなされたことを検出すると安否応答送信部２０３または安否応答ローカル送信部２１０に通知する。
【００５０】
端末探索部２０５は、安否応答要求受信部２０２からの指示によりローカル通信部２１１を介して自端末の近傍に他無線通信端末が存在するかを確認し、その探索結果を前記安否応答要求受信部２０２へ通知する。
【００５１】
安否応答要求ローカル転送部２０６は、安否応答要求受信部２０２から受け取った安否応答要求コマンドをローカルネットワークへと転送する。
【００５２】
安否応答ローカル受信部２０７は、ローカル通信部２１１を介して安否応答コマンドを受信すると安否応答転送部２０８へと前記安否応答コマンドを転送する。
【００５３】
安否応答転送部２０８は、安否応答ローカル受信部２０７から受信した安否応答コマンドを通信部２０１を介してサーバ１へ転送する。
【００５４】
安否応答要求ローカル受信部２０９は、ローカル通信部２１１を介して安否応答要求コマンドを受信し、安否応答要求コマンドに係る情報をマンマシンインターフェース部２０４の表示部に表示する。
【００５５】
安否応答ローカル送信部２１０は、マンマシンインターフェース部２０４で所定の操作が行われたことが通知されると当該安否応答要求コマンドに対する安否応答コマンドをローカル通信部２１１を介して送信する。
【００５６】
ローカル通信部２１１は、ローカルネットワークを介して他無線通信端末と通信するためのインターフェースである。
【００５７】
図６は、無線通信端末２の動作を説明するためのフロー図である。本フローは、無線通信端末２の電源が投入され無線通信が可能な状態から開始する。
【００５８】
まず、無線通信端末２は、サーバ１から安否応答要求コマンドを受信する（Ｓ６００）、または、ローカル無線通信を介して他無線通信端末から探索要求を受信する（Ｓ６５０）のいずれかの状態になるのを待つ。
【００５９】
サーバ１から安否応答要求コマンドを受信した場合（Ｓ６００、ＹＥＳ）、無線通信端末２は、自端末の表示部に当該無線通信端末２を使用するユーザの安否を確認する旨のメッセージを表示すると共に、ローカル無線通信を介して自端末の近傍に存在する他無線通信端末へ探索要求を送信する（Ｓ６０１）。
【００６０】
次に、無線通信端末２は、自端末のユーザによる無事である旨または救助が必要である旨の応答操作を検出する（Ｓ６０２）、またはローカル無線通信を介して他無線通信端末から探索応答を受信する（Ｓ６０４）、ローカル無線通信を介して、探索応答を送信した他無線通信端末から安否応答コマンドを受信する（Ｓ６０６）、ステップ６００でサーバ１より安否応答要求コマンドを受信してから所定期間が経過する（Ｓ６０８）、の何れかの状態になるのを待つ。
【００６１】
自端末のユーザによる無事である旨または救助が必要である旨の応答操作を検出すると（Ｓ６０２、Ｙｅｓ）、無線通信端末２は、受付けた応答操作に基づく安否応答コマンドを生成し、生成した安否応答コマンドをサーバ１へ送信する（Ｓ６０３）。そして、ステップ６０４へ移行する。
【００６２】
ローカル無線通信を介して他無線通信端末から探索応答を受信すると（Ｓ６０４、Ｙｅｓ）、無線通信端末２は、探索応答を送信してきた他無線通信端末へローカル無線通信を介して安否応答要求コマンドを送信する（Ｓ６０５）。そして、ステップ６０６へ移行する。
【００６３】
ローカル無線通信を介して、探索応答を送信した他無線通信端末から安否応答コマンドを受信すると（Ｓ６０６、Ｙｅｓ）、無線通信端末２は、安否応答コマンドを送信してきた他無線通信端末の安否応答コマンドをサーバ１へ転送し、ステップ６０８へ移行する。
【００６４】
ステップ６００でサーバ１より安否応答要求コマンドを受信してから所定期間が経過すると（Ｓ６０８、Ｙｅｓ）、無線通信端末２は、ステップ６００へ移行する。
【００６５】
尚、ステップ６０２において、無線通信端末２のユーザの応答操作が無い場合、およびまたは、ステップ６０６においてローカル無線通信を介して探索応答を送信した他無線通信端末から安否応答コマンドを受信しない場合、即ち探索応答を送信した他無線通信端末のユーザの応答操作が無い場合、無線通信端末２は、ユーザの応答が無く、身動きが取れない可能性がある旨の安否応答コマンドを生成してサーバ１へ送信するようにしてもよい。
【００６６】
ローカル無線通信を介して他無線通信端末から探索要求を受信した場合（Ｓ６５０、Ｙｅｓ）、無線通信端末２は、サーバ１へ自端末の安否応答コマンドが送信済みか否か判定する（Ｓ６５１）。
【００６７】
サーバ１へ自端末の安否応答コマンドが送信済みの場合（Ｓ６５１、Ｙｅｓ）、無線通信端末２は、ステップ６００へ移行する。
【００６８】
サーバ１へ自端末の安否応答コマンドが送信済みではない場合（Ｓ６５１、Ｎｏ）、ステップ６５０で探索要求を送信してきた他無線通信端末へローカル無線通信を介して探索応答を送信する（Ｓ６５２）。そして、無線通信端末２は、探索応答を送信した他無線通信端末からローカル無線通信を介して安否応答要求コマンドを受信すると自端末の表示部に安否を確認する旨のメッセージを表示する（Ｓ６５３）。
【００６９】
次に、無線通信端末２は、自端末のユーザの応答操作を検出する（Ｓ６５４）、またはステップ６５３で安否応答要求コマンドを受信してから所定期間経過する（Ｓ６５６）、の何れかの状態になるのを待つ。
【００７０】
自端末のユーザの応答操作を検出すると（Ｓ６５４、Ｙｅｓ）、無線通信端末２は、ローカル無線通信を介して当該探索要求を送信してきた他無線通信端末へ安否応答コマンドを送信し（Ｓ６５５）、ステップ６００へ移行する。
【００７１】
ステップ６５３で安否応答要求コマンドを受信してから所定期間経過した場合（Ｓ６５６、Ｙｅｓ）、無線通信端末２は、ステップ６００へ移行する。
【００７２】
以上、本発明の一実施の形態について説明した。
【００７３】
本発明の一実施の形態において、サーバ１は、安否応答要求コマンドに安否応答コマンドを返していない無線通信端末２に対して再度安否応答要求コマンドを送信する。前記再送された安否応答要求コマンドを受信した既安否応答コマンド送信済み無線通信端末２が自端末近傍の他無線通信端末を探索し、前記サーバ１から直接安否応答要求コマンドを受信できなかった無線通信端末２へと、ローカル通信により前記受信した再送された安否応答要求コマンドを転送し、前記サーバ１から直接安否応答要求コマンドを受信できなかった無線通信端末２からの安否応答コマンドを前記サーバ１へ転送することで、災害などの緊急時により通信状況が悪い状態にある無線通信端末相手にも安否確認を行うことができる。
【００７４】
尚、本実施例では、サーバ１は、安否確認要求を受信すると安否確認要求に含まれている複数の宛先を抽出しているが本願はこれに限定しない。
【００７５】
例えば、安否確認要求コマンドは、ブロードキャストアドレスやマルチキャストアドレスであって、ブロードキャスト送信またはマルチキャスト送信するようにしてもよい。
【００７６】
尚、本実施例では、無線通信端末２−１が、ローカル無線通信機能を起動して無線通信端末２−３とサーバ１間のデータ中継を行う場合について説明したが、本願はこれに限定しない。例えば、無線通信端２−３がさらに探索要求を送信し、無線通信端末２−３の近傍に位置する無線通信端末２と無線通信端末２−１間のデータ中継を行うようにしてもよい。さらに、複数の無線通信端末２間でデータを中継するためのメッシュネットワークを構築するようにしてもよい。これにより、遠く離れた位置に存在する無線通信端末２がサーバ１へ安否を通知することが出来るようになる。
【符号の説明】
【００７７】
１：サーバ
２：無線通信端末
３：無線基地局
４：ＷＡＮ
１０１：通信部
１０２：安否確認要求受信部
１０３：宛先記憶部
１０４：安否応答要求送信部
１０５：安否応答受信部
１０６：回答抽出部
１０７：回答記憶部
１０８：回答集計部
１０９：安否確認結果送信部
２０１：通信部
２０２：安否応答要求受信部
２０３：安否応答送信部
２０４：マンマシンインターフェース部
２０５：端末探索部
２０６：安否応答要求ローカル転送部
２０７：安否応答ローカル受信部
２０８：安否応答転送部
２０９：安否応答要求ローカル受信部
２１０：安否応答ローカル送信部
２１１：ローカル通信部
【図１】
2016046585.tif 000003
【図２】
2016046585.tif 000004
【図３】
2016046585.tif 000005
【図４】
2016046585.tif 000006
【図５】
2016046585.tif 000007
【図６】
2016046585.tif 000008